(57)【要約】【課題】逆戻り防止部材および球跳ね返し部材を無くした簡易な遊技機を提供する。【解決手段】外レール２１に湾曲部２１ａを設けて打ち出された遊技球を遊技領域１２の略中央に射出する一方、内レール２２を遊技盤面１１の最上部より所定の長さ延伸して端部を形成する。遊技球の速度を送らせて衝突を弱いものとすることにより、機器の耐久性、を高めた。【選択図】図１
2016097280.tif 000002
【特許請求の範囲】
【請求項１】
遊技盤面上の一端側から他端側に遊技球を打ち出す遊技機において、
外レールおよび内レールによりなるガイドレールを、前記遊技盤面の外周を環状に囲むように形成し、
前記外レールの他端側には、前記外レールを前記遊技盤面上の遊技領域の内側方向に延出し、前記ガイドレールに案内された遊技球を引き続いて誘導し、前記遊技領域の略中央に打ち出す湾曲部を備え、
前記内レールは、一端側から少なくとも前記遊技盤面の最上部を過ぎた他端側の所定の位置までは、前記外レールと並行して設けたことを特徴とする遊技機。
【請求項２】
前記湾曲部の内側には、遊技球を誘導し、射出するための発射球返しレールを備えたことを特徴とする請求項１に記載の遊技機。
【請求項３】
前記湾曲部の前記遊技領域の略中央への遊技球の発射方向は、遊技機のメインとなる役物装置に入賞しやすい方向であることを特徴とする請求項１または２に記載の遊技機。
【請求項４】
前記内レールの他端側の終端は並行して設けられた外レールの向きよりも下方に向けられたものであることを特徴とする請求項１，２または３に記載の遊技機。
【請求項５】
前記ガイドレールの前記外レールと前記内レールの間隔を他端側にいくほど狭めたことを特徴とする請求項１，２，３または４に記載の遊技機。
【請求項６】
前記湾曲部の遊技球の発射方向を成立した賞に応じて変化すること可能に構成したことを特徴とする請求項１，２，３，４または５に記載の遊技機。
【請求項７】
前記遊技領域に、打ち出された遊技球を分散するための分散用風車体および／または分散用釘を配設したことを特徴とする請求項１，２，３，４，５または６に記載の遊技機。
【請求項８】
前記内レールの直下に該内レールを防護するための防護釘群を配設したことを特徴とする請求項１，２，３，４，５，６または７に記載の遊技機。
【発明の詳細な説明】
【技術分野】
【０００１】  本発明は、遊技盤面上の一端側から他端側に遊技球を打ち出す遊技機に関する。
【背景技術】
【０００２】  従来、遊技盤面内の遊技領域に遊技球を打ち出す遊技機において、打ち出された遊技球は遊技盤面の外縁に設けられた内外のレールを備えたガイドレールによって遊技領域内に導入されている。遊技者は適宜所望の打ち出し速度をコントロールして遊技を行うが、打ち出された遊技球が再びガイドレール内に戻ることを防止するために、ガイドレールにおける遊技球の出口には、逆戻り防止部材が設けられている。【０００３】  また、遊技領域に適当な速度で打ち出された遊技球は、天釘等に衝突の後、遊技領域を流下するが、遊技球の発射速度が速い場合等の理由で、天釘に衝突せずに遊技盤面の外縁に沿って遊技には参加しない無駄な遊技球になるのを防ぐために球跳ね返し部材が設けられている（特許文献１）。
【先行技術文献】
【特許文献】
【０００４】
【特許文献１】特開２００５−７３８３４号公報
【特許文献２】特開２０１２−１８３２７１号公報
【発明の概要】
【発明が解決しようとする課題】
【０００５】  かかる問題のうち前者の逆戻り防止部材を必須の構成として含みつつ、後者の球跳ね返し部材に代わる構成を含む発明が特許文献２において発明が既に提案されている。すなわち、遊技領域の右側にきた遊技球を略中央側に跳ね返すガイド部を設け、アウト球になるしか他無い領域を流下する遊技球を有効に活用するようにしたものである。【０００６】  しかしながら、特許文献２の発明では、逆戻り防止部材を備えているために、一部ではあっても遊技球がガイドレール内に戻ってしまう逆戻りが発生し、そのために、逆戻りした遊技球とその後に発射された遊技球が衝突して、球割れが発生する場合があった。また、逆戻りが発生した場合には、発射された遊技球の数を正確に計数できない状態を生じていた。さらにガイド部は偶然に当該領域にいった遊技球を略中央に返すという消極的なものに留まっていた。【０００７】  本発明は、上記の事情に鑑み、内レールの終端を上方に位置させて、その方向を水平ないし下方に向けることにより、逆戻りが発生しないようにし、さらに、球跳ね返し部材の代わりにガイドレールの延長に湾曲部を設けることにより、遊技球の遊技領域の投入の際の速度を遅くして衝突を緩和し、もって遊技球や遊技機本体の消耗を最小化することのできる遊技機を提供することを目的としている。
【課題を解決するための手段】
【０００８】  前述した目的を達成するための本発明の要旨とするところは、以下の各項の発明に存する。
［１］遊技盤面（１１）上の一端側から他端側に遊技球を打ち出す遊技機（１０）において、
外レール（２１）および内レール（２２）によりなるガイドレール（２０）を、前記遊技盤面（１１）の外周を環状に囲むように形成し、
前記外レール（２１）の他端側には、前記外レール（２１）を前記遊技盤面（１１）上の遊技領域（１２）の内側方向に延出し、前記ガイドレール（２０）に案内された遊技球を引き続いて誘導し、前記遊技領域（１２）の略中央に打ち出す湾曲部（２１ａ）を備え、
前記内レール（２２）は、一端側から少なくとも前記遊技盤面（１１）の最上部を過ぎた他端側の所定の位置までは、前記外レール（２１）と並行して設けたことを特徴とする遊技機（１０）。【０００９】  ［２］前記湾曲部（２１ａ）の内側には、遊技球を誘導し、射出するための発射球返しレールを備えたことを特徴とする［１］に記載の遊技機（１０）。【００１０】  ［３］前記湾曲部（２１ａ）の前記遊技領域（１２）の略中央への遊技球の発射方向は、遊技機（１０）のメインとなる役物装置（３０）に入賞しやすい方向であることを特徴とする［１］または［２］に記載の遊技機（１０）。【００１１】  ［４］前記内レール（２２）の他端側の終端は並行して設けられた外レール（２１）の向きよりも下方に向けられたものであることを特徴とする［１］，［２］または［３］に記載の遊技機（１０）。【００１２】  ［５］前記ガイドレール（２０）の前記外レール（２１）と前記内レール（２２）の間隔を他端側にいくほど狭めたことを特徴とする［１］，［２］，［３］または［４］に記載の遊技機（１０）。【００１３】  ［６］前記湾曲部（２１ａ）の遊技球の発射方向を成立した賞に応じて変化すること可能に構成したことを特徴とする［１］，［２］，［３］，［４］または［５］に記載の遊技機（１０）。【００１４】  ［７］前記遊技領域（１２）に、打ち出された遊技球を分散するための分散用風車体（３８ａ）および／または分散用釘（３８ｂ）を配設したことを特徴とする［１］，［２］，［３］，［４］，［５］または［６］に記載の遊技機（１０）。【００１５】  ［８］前記内レール（２２）の直下に該内レール（２２）を防護するための防護釘群（３９）を配設したことを特徴とする［１］，［２］，［３］，［４］，［５］，［６］または［７］に記載の遊技機。【００１６】  前記本発明は、次のように作用する。
前記［１］〜［５］に記載の遊技機（１０）によれば、一端側から他端側に遊技球を打ち出す遊技機における遊技盤面（１１）を環状に囲むガイドレール（２０）の他端側に、外レール（２１）から遊技領域（１２）の略中央側に延出する湾曲部（２１ａ）を備えている。該湾曲部（２１ａ）にはその湾曲する内側に外レール（２１）から連続して発射球返しレール（２１ｂ）を形成している。これにより、所定以上の速度で発射レールを打ち出された遊技球は外レールに沿って遊技盤面（１１）の外周を案内され、引き続いて湾曲部（２１ａ）に沿って誘導されて湾曲部（２１ａ）の末端の（接線）方向に射出されることとなる。湾曲部（２１ａ）の形状ならびに末端の方向は、主たる役物となるメイン役物装置（３０）に入賞しやすい方向に設定される。【００１７】  遊技球は天釘等に衝突してランダムに流下するのと異なり、湾曲部（２１ａ）で減速した後に放物線を軌跡を描いてさらに減速して遊技領域（１２）の各所に配設された入賞装置等に向かって流下していくこととなる。これにより、遊技球の衝突による遊技球ないし機材の消耗を減らすことができる。【００１８】  また、ガイドレール（２０）のうち内レール（２２）は、一端側から少なくとも遊技盤面（１１）の最上部を過ぎた他端側の所定の位置までは外レール（２１）と並行に設けられている。これにより、ガイドレール（２０）の遊技領域（１２）側の出口は水平乃至下方を向いて設けられることとなり、遊技球の逆戻りを防止することができる。さらに、ガイドレール（２０）の外レール（２１）と内レール（２２）の間隔を他端側に行くほど狭めて形成しても良い。この場合、より低速の射出速度であっても外レール（２１）だけでなく内レール（２２）に沿って案内されてスムーズに発射球返しレール（２１ｂ）に引き継がれることとなる。【００１９】  前記［６］に記載の遊技機（１０）によれば、前記湾曲部（２１ａ）の遊技球の発射方向を成立した賞に応じて変化することができる。これにより、ゲーム性が増すとともに、ゲームに対する興趣を増加させることができる。【００２０】  前記［７］に記載の遊技機（１０）によれば、打ち出された遊技球を分散するための分散用風車体（３８ａ）および／または分散用釘（３８ｂ）を遊技領域（１２）の各所に配設する。これにより、遊技球が分散されて遊技領域（１２）の活用範囲が広がることとなる。さらに、遊技領域（１２）の活用範囲が広がることにより、遊技領域（１２）各所に様々な役物を配設してゲーム性を向上させることができる。【００２１】  前記［８］に記載の遊技機（１０）によれば、内レール（２２）の直下に該内レール（２２）を防護するための防護釘群（３９）を配設する。これにより、発射球返しレール（２１ｂ）から速い速度で発射された場合にあっても、内レール（２２）を損傷から防護することができる。本遊技機（１０）においては、遊技球の打ち出し方向が特徴的であり、その特性に応じて釘等が配設されるものである。
【発明の効果】
【００２２】  本発明に係る遊技機によれば、従来の遊技機に代わる斬新な遊技機として、長期的な消耗を減じると同時に、遊技領域全体を広く使うことにより、ゲーム性を向上させて遊技者の興趣を高めることができる。
【図面の簡単な説明】
【００２３】
【図１】  本発明の第１実施の形態に係る遊技機を示す正面図である。
【図２】  本発明の第１実施の形態に係る遊技機の別の例を示す正面図である。
【図３】  本発明の第１実施の形態に係る遊技機の別の例を示す正面図である。
【図４】  本発明の第１実施の形態に係る遊技機の別の例を示す正面図である。
【図５】  本発明の第１実施の形態に係る遊技機の別の例を示す正面図である。
【図６】  本発明の第１実施の形態に係る遊技機の別の例を示す正面図である。
【図７】  本発明の第２実施の形態に係る遊技機を示す正面図である。
【図８】  本発明の第２実施の形態に係る遊技機の別の例を示す正面図である。
【図９】  本発明の第２実施の形態に係る遊技機の別の例を示す正面図である。
【図１０】  本発明の第２実施の形態に係る遊技機の別の例を示す正面図である。
【図１１】  本発明の第２実施の形態に係る遊技機の別の例を示す正面図である。
【図１２】  本発明の第２実施の形態に係る遊技機の別の例を示す正面図である。
【図１３】  本発明の第２実施の形態に係る遊技機の別の例を示す正面図である。
【図１４】  本発明の第３実施の形態に係る遊技機を示す正面図である。
【図１５】  本発明の第３実施の形態に係る遊技機の別の例を示す正面図である。
【図１６】  本発明の第４実施の形態に係る遊技機を示す正面図である。
【図１７】  本発明の第４実施の形態に係る遊技機の別の例を示す正面図である。
【発明を実施するための形態】
【００２４】  以下、図面に基づき、本発明を代表する各種実施の形態を説明する。
図１〜図６は、本発明の実施の形態に係る遊技機１０を示している。
遊技機１０は、遊技領域１２上に遊技球を打ち出して遊技を行うパチンコ機である。遊技機１０は、打ち出された遊技球が落下して遊技を進行させる役物等が取り付けられた遊技領域１２と、該遊技領域１２の正面を覆うガラスを固定するガラス枠等を有している。
【００２５】  ガラス枠には、装飾装置であるランプ・ＬＥＤ等が組み付けられている。また、ガラス枠の下方には、遊技球である貸球や賞球を貯留する上皿１４、上皿１４から溢れた遊技球を貯留する下皿１５、遊技者が遊技球の打ち出し操作を行うハンドル１６等が設けられている。なお、図示省略したが遊技機１０には、有価価値カードの挿入により遊技球を貸し出すためのカードユニット（ＣＲ球貸機）が付設されている。
【００２６】  図１に示すように、遊技盤面１１囲むように、外レール２１および内レール２２を備えたガイドレール２０を備えている。外レール２１は前記ハンドル１６の回転操作により打ち出された遊技球を遊技領域１２の上方へ導くためものである。また、遊技領域１１の略中央には、風車状回転体３１を備えたメイン役物装置３０と、その左右にそれぞれ４箇所に一般入賞装置が縦方向にジグザグに配設されている。メイン役物装置３０の下方には大入賞口４０と、さらに遊技盤面１１の最下にはいずれの入賞装置にも入らずに落下した遊技球を排出するためのアウト球口１３を設けている。
【００２７】  加えて、遊技機１０には、遊技全体の制御を行う制御手段が設けられている。かかる制御手段は、図示省略したがインターフェース、ＣＰＵ、ＲＡＭ、ＲＯＭ等から構成されたマイクロコンピューターから成る。制御手段は、メイン役物装置２０や始動入賞装置３５等の入賞装置や表示遊技、特別遊技状態を制御する等の様々な機能を有している。ここで、制御手段は各種入賞口に遊技球が入賞した際に賞出信号を機内部にある計数機に出力して各種入賞口ごとに予め割り当てられている所定数の遊技球を計数機から上皿１４に払い出させるように構成してもよい。
【００２８】  次に、本発明の根幹を成す湾曲部２０ａを備えたガイドレール２０について説明する。前述したように、ガイドレール２０は遊技盤面１１の周囲を取り囲むように設けられている。遊技盤面１１は通常見られる遊技機の円形とは若干異なり正面視で右側にあたる他端側上部の角がやや鋭角に突出した形状をしている。ガイドレール２０はハンドル１６の操作により遊技球が発射される発射レールと連続して円弧状の通路を形成しており、遊技球は、ガイドレール２０の外レール２１に沿って下方から上方へと駆け上がることになるものである。
【００２９】  特に、本発明における遊技機を特徴付ける部位である湾曲部２０ａは最上部から他端側に連続し外周方向に突出した鋭角部よりやや下方に設けられている。外レール２１から連続した円弧が遊技領域１２の略中央側へ延出した様子が図１に示されている。ガイドレール２０を下方から上方へ駆け上がった遊技球は、ガイドレール２０の鋭角に沿って駆け下りて、さらに湾曲に案内されて遊技領域１２の略中央へ放物線を描くべく、湾曲部２０ａの先端よりその略接線方向に射出される。
【００３０】  湾曲部２０ａの円弧の内側には外レール２１から連続して発射球返しレール２０ｂが形成される。発射球返しレール２０ｂは、外レール２１などと同様に合成樹脂に摩擦係数の低いフッソ加工などを施したものでもよいが、連続して付加が係る部位であり、金属などの耐久性の高いものをしようしてもよい。
【００３１】  さらに、図４にも示されるように、湾曲部２０ａにおいて重要なのが射出方向であり、その速度により、様々な放物線を描いて遊技領域を流下するのだから、特にその流下の態様により、その下方に役物装置を配設するのがよい。
【００３２】  加えて、本発明による遊技機のガイドレール２０およびその湾曲部２０ａの構成によって、通常の天釘等によって周囲に遊技球を散らすタイプの遊技機と比較して、ゆっくりとした速度で射出して、狙いを定めて入賞装置に遊技球をふわっと浮上するように放出、着地させられるので、遊技領域１２内への遊技球の衝突は極めて弱いものとなり、役物装置等の破損、消耗を減少させることができる。
【００３３】  次に湾曲部２０ａと並ぶ本発明のもう一つの特徴である内レール２２について説明する。
内レール２２は、発射レール側である一端側から少なくとも遊技盤面１１の最上部を過ぎた他端側の所定の位置までは、外レール２１と並行して内レール２２を設けたものである。ある一定以上の速度で打ち出される遊技球は外レール２１に沿って案内されて遊技領域１２に射出されるものの、内レール２２が一端側の側方や上方の最上部に至らない中途で切断されている場合には、その箇所が逆戻りの原因となる。そこで本発明における内レール２２は最上部を過ぎた他端側の所定の位置で切断されている。
【００３４】  これにより、ガイドレール２０の遊技球の出口から遊技球が入る逆戻り現象は、防止部材等の部品を使うことなしに防止することができる。前述したように、逆戻り防止部材を取付けたとしても、完全に逆戻りを防ぐことは困難であり、本発明の内レール２２の構成によれば、極めて高い確率で防止することができ、遊技球どうしの衝突を無くし、球割れを無くすとともに、発射された球数を正確に計数することができる。
【００３５】  なお、ガイドレール２０は、図５に示すように、内レール２２をやや下方に向けても良いし、図６に示すように外レール２１と内レール２２の間隔を狭めて構成しても良い。この場合いずれも、外レール２１に沿って移動する遊技球は極めてスムーズに発射球返しレール上に移動することができる。
【００３６】  次に、遊技機１０の作用を説明する。
遊技者はハンドル１６を打ち出し力に応じて回転操作することで球発射装置（図示省略）により、発射レール、ガイドーレール２０を通って、遊技領域１１上に遊技球を打ち出して遊技を行う。遊技球は所定の間隔をもって次々に打ち出され、ガイドレール２０を駆け上がり、湾曲部２１ａから発射される。発射の速度は湾曲部２１ａから放物線を描いた先の役物装置に届く程度であり、極めて遅い速度でも十分である。遅い速度でも十分に遊技が可能なので、球発射装置も小型のもので足りるのでコストを削減することもできる。また、遊技球の激突の衝撃が相対的に少ないので、耐久性も高く、消耗を最小限にすることができる。
【００３７】  以下図１〜図３に基づきそれぞれの遊技機を簡単に説明する。
図１に示した遊技機１０は、風車状回転体３１を備えたメイン役物装置３０に遊技球を入賞させて、内部の特定入賞口３２に入賞した場合には、所定回数乃至時間大入賞口４０の開動作を行うものである。
図２に示した遊技機１０は、図１に示した遊技機１０に加えて可変表示部３３を備えたものである。同様に特定入賞口３２に入賞した場合に、様々の図柄の可変表示を行い、特定の当たり図柄に確定した場合には、所定回数、時間の大入賞口４０の開動作を行うものである。
図３に示した遊技機１０は、前二つの遊技機とは異なり、遊技領域１２の各所に縦列の可変表示部３７を備えた始動入賞装置３５を配設している。始動入賞装置３５それぞれの始動入賞口３６に遊技球を入賞させることにより一列ずつ可変表示をを行い縦に並んだ図柄の組み合わせが予め定められた当たりのパターンである場合に、下方の大入賞口４０の開動作を行うものである。
【００３８】  図７から図１３は、本発明の第２実施の形態に係る遊技機１０を示している。
本実施の形態は前記第１実施の形態の遊技機１０と基本的には同一の構成であるが、第１実施の形態のバリエーションに加えて、遊技領域１２の各所に遊技球を分散させるための球分散用風車体３８ａ若しくは球分散用釘３８ｂ（またはその両方）を配設している。
これにより、遊技球が分散されて遊技領域１２の活用範囲が広がることとなる。さらに、遊技領域１２の活用範囲が広がることにより、遊技領域１２各所に様々な役物を配設してゲーム性を向上させることができる。特に前述した遊技と同様のものについては重ねて説明しないが、図１２に示した遊技機１０は、風車状回転体３１自体に入賞口を備えており、入賞することにより、特別の賞球を行うように構成すると良い（例えば大当たりとして大入賞口の開閉など）。
【００３９】  図１４から図１５は、本発明の第３実施の形態に係る遊技機１０を示している。
前記湾曲部２１ａの遊技球の発射方向を成立した賞に応じて変化することができる。これにより、ゲーム性が増すとともに、ゲームに対する興趣を増加させることができる。また、ゲームに係らず湾曲部の角度を遊技者自身によって設定できるようにしてもよい。この場合、遊技者は自分の好みで狙いたい場所に狙いたい角度で、遊技球を投入することができることとなり、遊技の興趣を高めることができる。
【００４０】  図１６から図１７は、本発明の第４実施の形態に係る遊技機１０を示している。
内レール２２の直下に該内レール２２を防護するための防護釘群３９を配設する。これにより、発射球返しレール２１ｂから速い速度で発射された場合にあっても、内レール２２を損傷から防護することができる。本遊技機１０においては、遊技球の打ち出し方向が特徴的であり、その特性に応じて釘等が配設されるものである。
【００４１】  以上、本発明の実施の形態を図面によって説明してきたが、具体的な構成はこれらの実施の形態に限られるものではなく、本発明の要旨を逸脱しない範囲における変更や追加があっても本発明に含まれる。
【産業上の利用可能性】
【００４２】  本発明に係る遊技機はパチンコ機に限らず、プログラム制御されるスマートボールゲーム機、アレンジボールゲーム機といった他の遊技機にも同様に適用することができる。
【符号の説明】
【００４３】１０…遊技機
１１…遊技盤面
１２…遊技領域
１３…アウト球口
１４…上皿
１５…下皿
１６…ハンドル
２０…ガイドレール
２１…外レール
２１ａ…湾曲部
２１ｂ…発射球返しレール
２２…内レール
３０…メイン役物装置
３１…風車状回転体
３２…特定入賞口
３３…可変表示部
３５…始動入賞装置
３６…始動入賞口
３７…可変表示部
３８ａ…球分散用風車体
３８ｂ…球分散用釘
３９…防護釘
４０…大入賞口
４１…一般入賞装置
【図１】
2016097280.tif 000003
【図２】
2016097280.tif 000004
【図３】
2016097280.tif 000005
【図４】
2016097280.tif 000006
【図５】
2016097280.tif 000007
【図６】
2016097280.tif 000008
【図７】
2016097280.tif 000009
【図８】
2016097280.tif 000010
【図９】
2016097280.tif 000011
【図１０】
2016097280.tif 000012
【図１１】
2016097280.tif 000013
【図１２】
2016097280.tif 000014
【図１３】
2016097280.tif 000015
【図１４】
2016097280.tif 000016
【図１５】
2016097280.tif 000017
【図１６】
2016097280.tif 000018
【図１７】
2016097280.tif 000019
【手続補正書】
【提出日】平成27年2月18日(2015.2.18)
【手続補正１】
【補正対象書類名】明細書
【補正対象項目名】０００３
【補正方法】変更
【補正の内容】
【０００３】  また、遊技領域に適当な速度で打ち出された遊技球は、天釘等に衝突の後、遊技領域を流下するが、該打ち出された遊技球によっては、天釘に衝突後遊技盤面右方外縁に飛び跳ねるか、もしくは、天釘に衝突せずに遊技盤面右方外縁に飛び出す等の遊技には参加しない無駄な遊技球が発生する場合があり、この無駄な遊技球になるのを防ぐために球跳ね返し部材が設けられている（特許文献１）。
【手続補正２】
【補正対象書類名】明細書
【補正対象項目名】０００６
【補正方法】変更
【補正の内容】
【０００６】  しかしながら、特許文献２の発明では、逆戻り防止部材を備えているために、一部ではあっても遊技球がガイドレール内に戻ってしまう逆戻りが発生し、そのために、逆戻りした遊技球とその後に発射された遊技球が衝突して、球割れが発生する場合があった。また、逆戻りが発生した場合には、発射された遊技球の数を正確に計数できない状態を生じていた。さらにガイド部は偶然に当該領域に入った遊技球を遊技領域の一部分に返すという消極的なものに留まっていた。
【手続補正３】
【補正対象書類名】明細書
【補正対象項目名】０００７
【補正方法】変更
【補正の内容】
【０００７】  本発明は、上記の事情に鑑み、内レールの終端を上方に位置させるとともに、遊技盤面の中央から右方向に延長させ、その方向を水平ないし下方向に向けることにより、遊技球の逆戻りを全く発生しないようにし、さらに、球跳ね返し部材をなくして代わりに外レールの遊技盤面右端部に湾曲部を設け、該湾曲部により、遊技球発射装置から打ち出された遊技球の全てを遊技領域の中央部に返して、遊技領域全域を十分に活用することできる遊技機を提供することを目的としている。
【手続補正４】
【補正対象書類名】明細書
【補正対象項目名】００１７
【補正方法】変更
【補正の内容】
【００１７】  遊技球は天釘等に衝突してランダムに流下するのと異なり、湾曲部（２１ａ）で方向を略１８０度変えられた後に遊技領域の中央部に向けて放物線軌跡を描いて遊技領域の中央部に到達し、該到達した遊技球は遊技領域（１２）の各所に配設された入賞装置等に向かって流下していくこととなる。これにより、遊技球発射装置から打ち出された遊技球の全てを遊技領域の中央部に返して、遊技領域全域を十分に活用することができる。
【手続補正５】
【補正対象書類名】明細書
【補正対象項目名】００１８
【補正方法】変更
【補正の内容】
【００１８】  また、ガイドレール（２０）のうち内レール（２２）は、一端側から少なくとも遊技盤面（１１）の最上部を過ぎた他端側の所定位置までは外レール（２１）と並行に設けられている。これにより、ガイドレール（２０）の遊技領域（１２）側の出口は水平乃至下方を向いて設けられることとなり、遊技球の逆戻りを防止することができる。さらに、ガイドレール（２０）の外レール（２１）と内レール（２２）の間隔を他端側に行くほど狭めて形成してもよい。この場合、外レールから外された遊技球が発生しても内レール（２２）が外レールから外れた遊技球を外レール側に戻すように作用し、もって発射球返しレール（２１ｂ）にスムーズに引き継ぐことができる。
【手続補正６】
【補正対象書類名】明細書
【補正対象項目名】００２２
【補正方法】変更
【補正の内容】
【００２２】  本発明に係る遊技機によれば、従来の遊技機に代わる斬新な遊技機として、遊技領域全体を広く使うことにより、ゲーム性を向上させて遊技者の興趣を高めることができる。
【手続補正７】
【補正対象書類名】明細書
【補正対象項目名】００３０
【補正方法】変更
【補正の内容】
【００３０】  湾曲部２０ａの円弧の内側には外レール２１から連続して発射球返しレール２０ｂが形成される。発射球返しレール２０ｂは、外レール２１などと同様に合成樹脂に摩擦係数の低いフッソ加工などを施したものでもよいが、連続して負荷が係る部位であり、金属などの耐久性の高いものを使用してもよい。